(57)【要約】【課題】  明るい場所でも、レーザー光線を用いた墨出し作業を容易に行うことができるようにする。【解決手段】建築現場などにおいて床面などに設置されるレーザー墨だし器と、レーザー墨だし器から照射されるレーザー光を離れた場所で反射し、該レーザー光を反射面上に投影する、任意の場所に持ち運び可能なレーザー墨だし器用補助具とからなる。補助具は、基体と、基体に保持されたレーザー光線反射鏡本体とで構成され、レーザー光線反射鏡本体の表面にエッジングプリズムからなるレーザー光乱反射鏡面が形成され、レーザー光乱反射鏡面上の直線の少なくとも２点を示す基準表示が設けられている。【選択図】  図１
2012225654.tif 000002
【特許請求の範囲】
【請求項１】
建築現場などにおいて床面などに設置されるレーザー墨だし器と、該レーザー墨だし器から照射されるレーザー光を離れた場所で反射し、該レーザー光を反射面上に投影する、任意の場所に持ち運び可能なレーザー墨だし器用補助具とからなり、該補助具を、基体と、該基体に保持されたレーザー光線反射鏡本体とで構成し、該レーザー光線反射鏡本体の表面にエッジングプリズムからなるレーザー光乱反射鏡面を形成し、該レーザー光乱反射鏡面上の直線の少なくとも２点を示す基準表示を設けたことを特徴とするレーザー墨だし装置。
【請求項２】
レーザー墨だし器から照射されるレーザー光を離れた場所で反射し、該レーザー光を反射面上に投影するための、任意の場所に持ち運び可能なレーザー墨だし器用補助具であって、基体と、該基体に保持されたレーザー光線反射鏡本体とから成り、前記レーザー光線反射鏡本体の表面にエッジングプリズムからなるレーザー光乱反射鏡面を形成し、該レーザー光乱反射鏡面上の直線の少なくとも２点を示す基準表示を設けたことを特徴とするレーザー墨だし器用補助具。
【請求項３】
前記基準表示を前記直線に沿って前記レーザー光乱反射鏡面に基準線を描いて構成したことを特徴とする請求項２に記載のレーザー墨だし器用補助具。
【請求項４】
前記基準表示を、水平方向と垂直方向を示す少なくとも２つ設けたことを特徴とする請求項２に記載のレーザー墨だし器用補助具。
【請求項５】
前記基体の縁部に前記基準表示の延長線上に位置して、筆記具用の墨だし溝を設けたことを特徴とする請求項２に記載のレーザー墨だし器用補助具。
【請求項６】
前記基体が巻き取り式スケール具のスケールで構成されることを特徴とする請求項２に記載のレーザー墨だし器用補助具。
【請求項７】
前記基体が巻き取り式スケール具のスケールカバーで構成されることを特徴とする請求項２に記載のレーザー墨だし器用補助具。
【発明の詳細な説明】
【技術分野】
【０００１】
本発明は、レーザー墨だし装置及び該装置に用いられるレーザー墨だし器用の補助具に関する。
【背景技術】
【０００２】
従来、建築現場などにおいて床面などに設置し、床面、天井面、壁面にレーザー光を照射して墨だしラインを形成し、正確に墨だしを行えるようにしたレーザー墨だし器が知られている（例えば特許文献１参照）。
【先行技術文献】
【特許文献】
【０００３】
【特許文献１】特開２００２−１９５８３１号公報
【発明の概要】
【発明が解決しようとする課題】
【０００４】
レーザー光線による災害防止対策要綱の規定で、光線のエネルギー量を５段階に分けて災害の大きさを指導している。レーザー光線墨だし器は一般作業従事者が使用するもので、レーザー光線を直視しても網膜の損傷が起きないレベルの出力の光源を使用している。この光源はレーザー光線を投影した場合、蛍光灯の光でも６，７メートル離れると見えなくなり、そのため、屋内でも室内の照明を消して暗くしなければ使用できないのが現状である。
本発明は上記問題点を解決することを目的とする。
【課題を解決するための手段】
【０００５】
上記目的を達成するため、本発明は、建築現場などにおいて床面などに設置されるレーザー墨だし器と、該レーザー墨だし器から照射されるレーザー光を離れた場所で反射し、該レーザー光を反射面上に投影する、任意の場所に持ち運び可能なレーザー墨だし器用補助具とからなり、該補助具を、基体と、該基体に保持されたレーザー光線反射鏡本体とで構成し、該レーザー光線反射鏡本体の表面にエッジングプリズムからなるレーザー光乱反射鏡面を形成し、該レーザー光乱反射鏡面上の直線の少なくとも２点を示す基準表示を設けたものである。
また本発明は、レーザー墨だし器から照射されるレーザー光を離れた場所で反射し、該レーザー光を反射面上に投影するための、任意の場所に持ち運び可能なレーザー墨だし器用補助具であって、基体と、該基体に保持されたレーザー光線反射鏡本体とから成り、前記レーザー光線反射鏡本体の表面にエッジングプリズムからなるレーザー光乱反射鏡面を形成し、該レーザー光乱反射鏡面上の直線の少なくとも２点を示す基準表示を設けたものである。
また本発明は、前記基準表示を前記直線に沿って前記レーザー光乱反射鏡面に基準線を描いて構成したものである。
また本発明は、前記基準表示を、水平方向と垂直方向を示す少なくとも２つ設けたことを特徴とする。
また本発明は、前記基体の縁部に前記基準表示の延長線上に位置して、筆記具用の墨だし溝を設けたことを特徴とする。
また本発明は、前記基体が巻き取り式スケール具のスケールで構成されることを特徴とする。
また本発明は、前記基体が巻き取り式スケール具のスケールカバーで構成されることを特徴とするものである
【発明の効果】
【０００６】
本発明は、レーザー光乱反射鏡面をエッジングプリズムにより構成したので、エッジングプリズムの微粒の曲面によりレーザー光を広角に反射して微粒光線の集合体からなる濃い線として投影させることができ、照明をつけた屋内でレーザー光源映像を鮮明に確認でき、レーザー光線を用いた墨だし作業を容易に行うことができる。
【図面の簡単な説明】
【０００７】
【図１】本発明の説明図である。
【図２】本発明の説明図である。
【図３】本発明の他の実施形態を示す正面図である。
【図４】同上側面図である。
【図５】本発明の説明図である。
【発明を実施するための形態】
【０００８】
以下に本発明の構成を添付した図面を参照して詳細に説明する。
図２は、工事用レーザー墨出し装置の説明的外観図を示している。本装置は、レーザー光線発信機（レーザー墨だし器）１と、レーザー光線発信機１から照射されるレーザー光線を、該レーザー光線発信機１から離れた場所で、反射し光源映像を投影する墨だし器用補助具２とから構成されている。
【０００９】
レーザー光線発信機１は工事用レーザー墨だし器として、従来公知の市販の製品であり、水平方向にレーザー光線４を面状に照射する水平方向レーザー照射部と、垂直方向にレーザー光線３を面状に照射する垂直方向レーザー照射部とが設けられている。レーザー墨だし器用補助具２は、枠状の基体５に、反射投影用の反射鏡本体６が保持された構成となっている。
【００１０】
補助具２は、任意の場所に容易に持ち運び可能な重さと大きさを有し、レーザー光線発信機１とは別体に構成されている。基体５は、円盤状の底部と、その周囲に突設された周壁部とから構成され、底部と周壁部とで形成される浅い円柱状の嵌合凹部に、円盤状の反射鏡本体６が基体５の底部に対して水平に嵌合配置され、接着剤などの適宜な固定手段により、基体５に固定されている。
【００１１】
反射鏡本体６の表面側は開放され、該開放面がレーザー光乱反射投影面６ａを構成している。レーザー光乱反射投影面６ａは、図５に示す、エッジングプリズム構造を有する。前記レーザー光乱反射投影面６ａの表面には、基準線７が４本適宜な方法により、描画されている。
【００１２】
尚、基準線７は、直交する２本とこれに対して４５度の角度を有する２本が図示されている。前記基体５の周壁部には筆記具の先端を差し込み、基体５の裏面が接する駆体（図示省略）に印を付けるための墨だし溝８が各基準線７の延長線上に形成されている。
【００１３】
上記した構成において、床面上にレーザー光線発信機１を設置し、駆体の壁面の所定の位置に補助具２を手操作で、そのレーザー光乱反射面６ａをレーザー光線発信機１に向けて配置する。レーザー光線発信機１は、レーザー光線３，４を水平と垂直方向に面状に発射して、駆体に赤色の線を投影する。
以下、水平方向にレーザー光線４を面状に発射したときの動作について説明する。
【００１４】
明るい場所で見えない光線を検索する場合、水平のレーザー光線４に対して、反射鏡本体６を図２に示すように約垂直にして上下方向９に移動すると乱反射鏡面６ａにレーザー光線が影像１０として投影され、レーザー光の水平ラインが確認できる。その映像１０に、水平基準線７を補助具２を微動させて合わせる。
【００１５】
水平レーザー光線４はレーザー光線乱反射鏡面６ａの小さな粒子反射により、レーザー光乱反射鏡面６ａに赤色線１１として現れる。その線１１の中央に水平基準線７を合わせることで、水平位置を正確に出すことができる。
駆体への墨だしは、基体５の、水平基準線７を延長した位置に溝８が有るので、筆記用具の先端を溝８に差し込み、駆体に印を付け基準線を転記する。
【００１６】
レーザー光線乱反射鏡面６ａのエッジングプリズムは、平面反射のため、正確にレーザー光線４の位置を投影する。仮に反射鏡本体６が傾いても、乱反射鏡面６ａのエッジングプリズムに投影されたレーザー光線４の水平位置は変化しない。
【００１７】
直射日光の当たる場所でのエッジングプリズム反射光線は粒子反射のため、光源が小さく確認は難しいが屋内であれば、明るい照明下であっても映像１２は鮮明に確認することができるため、前記の方法で水平基準線を出すことができる。
【００１８】
レーザー光乱反射鏡面６ａのエッジングプリズムは微粒の曲面になっているため広角に反射して、微粒光線の集合体になり濃い赤色線１１があらわれる。尚、垂直基準線を出す場合の動作は、上記水平基準線を出す場合の動作と原理的には同一なのでその説明を省略する。
【００１９】
次に、図３を参照して、本発明を巻き取り式スケールに応用した実施形態について説明する。
図３に示すように、巻き取り式スケール１３は、スケールカバー１４のスケール巻き取り収納部に柔軟性及び弾力性のある金属材料その他合成樹脂等から成る長尺状のスケール１６が引き出し及び巻き取り自在に収納されている。スケール１６の目盛形成面には、その先端から所定の長さにわたって、エッジングプリズムから成るレーザー光線乱反射鏡面１７が形成されている。
【００２０】
前記乱反射鏡面１７の両側には、目盛１８，１９が位置するように設定されている。本実施形態では、スケール１６の目盛１８，１９を基準線として用いているが、目盛１８，１９とは別に、基準線を設けるようにしても良い。エッジングプリズムからなる乱反射鏡面１７をスケール１６の表面に形成する技術は、公知の種々の技術を用いることができ、柔軟性のある薄い合成樹脂板の表面にエッジングプリズムの凹凸構造を形成し、これの表面を光乱反射面としたものを、スケール１６に接着した構造とする方法、あるいはスケール１６の表面に直接エッジングプリズムの凹凸加工を施し、その凹凸表面に光乱反射鏡面形成処理を施しても良い。
【００２１】
上記した構成において、レーザー光線発信機１に向けて、駆体の壁面にスケール１６を配置し、このスケール１６の乱反射鏡面１７にレーザー光を当てる。スケール１６の左右の目盛の２点を、水平レーザー光線２０に合わせ、この２点を水平基準線として、筆記具を用いて駆体に記入する。尚、図中、符号２１は乱反射鏡面１７に投影されたレーザー光線２０の赤色線である。
【００２２】
図４は巻き取り式スケール１３のスケール収納部１５を有するスケールカバー１５を、補助具の基体とし、該基体に、図１に示す実施形態の、レーザー光乱反射鏡面６ａを設けた実施形態を示している。スケールカバー１５には、嵌合凹部が形成され、これに、反射鏡本体６が嵌着されている。反射鏡本体６の表面には、基準線７が描画されている。スケールカバー１５の、基準線７の延長線上には、墨だし溝８が形成されている。スケールカバー１５に形成されたレーザー光反射鏡面６ａと図１に示す実施形態のレーザー光乱反射鏡面６ａの構成と機能はほぼ同一であり、対応する部分は、同一の符号で示している。
【符号の説明】
【００２３】
１        レーザー光線発信機
２        補助具
３        レーザー光線
４        レーザー光線
５        基体
６        反射鏡本体
６ａ      レーザー光乱反射鏡面
７        基準線
８        墨だし溝
９        方向
１０      映像
１１      赤色線
１２      映像
１３      巻き取り式スケール
１４      スケールカバー
１５      スケールカバー
１６      スケール
１７      レーザー光線乱反射鏡面
１８      目盛
１９      目盛
２０      レーザー光線
２１      赤色線
【図１】
2012225654.tif 000003
【図２】
2012225654.tif 000004
【図３】
2012225654.tif 000005
【図４】
2012225654.tif 000006
【図５】
2012225654.tif 000007